【手続補正書】
【提出日】平成26年3月24日(2014.3.24)
【手続補正１】
【補正対象書類名】特許請求の範囲
【補正対象項目名】全文
【補正方法】変更
【補正の内容】
【特許請求の範囲】
【請求項１】
送達カテーテルの拡張可能部材上にステントをクリンプするためのシステムであって、該システムは、
該拡張可能部材上に設置されるように構成されている、最も遠位の第１の端および最も近位の第２の端を有するステントであって、第１の部分および第２の部分が、該最も遠位の第１の端と該最も近位の第２の端との間にそれぞれ延び、該ステントは、側孔が貫通している側壁を含み、
該ステントは、該拡張可能部材に不均一にクリンプされるように構成されており、該拡張可能部材は、該最も遠位の第１の端と該最も近位の第２の端との間で、該最も遠位の第１の端と該最も近位の第２の端との両方を越えて延びる送達バルーンを備え、該ステントは、該第２の部分のセグメントのみが該送達バルーンに埋め込まれるように、不均一にクリンプされ、そして該第２の部分は、該第２の部分が該拡張可能部材の一部の上で該拡張可能部材にクリンプされない状態のままになるように、該拡張可能部材に部分的にクリンプされる、ステントと、
該第１の部分の外側に送られるように、該ステントの該第２の部分の下において該側孔を通して送られるように構成されている細長いシャフトと、
該細長いシャフトの一部と該ステントの第２の部分の一部との間に設置されるように構成されているスペーサであって、
該ステントの第２の部分の一部は、該スペーサと接触するようにクリンプされるように構成されており、
該スペーサは除去されるように構成されており、該細長いシャフトは、該ステントの配備前に、該ステントの第２の部分に対して摺動可能に配置される、スペーサと
を含む、システム。
【請求項２】
前記第１の部分は、前記拡張可能部材に均一にクリンプされ、前記第２の部分は、該拡張可能部材に不均一にクリンプされる、請求項１に記載のシステム。
【請求項３】
前記ステントの前記第１の部分は、自身に沿って円周方向および長手方向に均一にクリンプされる、請求項２に記載のシステム。
【請求項４】
前記ステントの前記第２の部分は、自身に沿って円周方向に不均一にクリンプされる、請求項２に記載のシステム。
【請求項５】
前記第１の部分は、前記側孔よりも遠位に配置され、前記第２の部分は、該側孔よりも近位に配置される、請求項１に記載のシステム。
【請求項６】
前記第１の部分は、収縮口を使用してクリンプされる、請求項１に記載のシステム。
【請求項７】
前記ステントは、複数の開口が貫通している側壁を含み、
前記拡張可能部材は、該開口のうちの１つ以上の中に少なくとも部分的に突出する、請求項１に記載のシステム。
【請求項８】
前記拡張可能部材は、前記ステントがクリンプされる前または該ステントがクリンプされているときに部分的に膨張させられるように構成されている、請求項７に記載のシステム。
【請求項９】
前記拡張可能部材は、前記ステントがクリンプされているとき、約５０ｐｓｉから約１００ｐｓｉまでの範囲の圧力まで膨張させられる、請求項８に記載のシステム。
【請求項１０】
前記拡張可能部材または前記ステントのうちの少なくとも１つは、前記ステントがクリンプされる前または該ステントがクリンプされているときに、加熱されるように構成されている、請求項７に記載のシステム。
【請求項１１】
前記少なくとも１つの拡張可能部材またはステントは、摂氏約５０度から摂氏約６５度までの範囲の温度まで加熱される、請求項１０に記載のシステム。
【請求項１２】
真空圧が前記拡張可能部材に印加されるように構成されている、請求項１に記載のシステム。
【請求項１３】
前記拡張可能部材が少なくとも部分的に膨張させられるように構成されている、請求項１に記載のシステム。
【請求項１４】
前記第２の部分が前記拡張可能部材に部分的にクリンプされるように構成されており、それにより、該第２の部分の下における細長いシャフトの摺動可能な移動を可能にする、請求項１に記載のシステム。
【請求項１５】
前記第１の部分および前記第２の部分は、細長いシャフトが前記側孔を摺動可能に通過することを依然として可能にしながら、クリンプされる、請求項１に記載のシステム。
【請求項１６】
前記ステントの第２の部分は、収縮口を使用してクリンプされる、請求項１に記載のシステム。
【請求項１７】
前記ステントの第２の部分は、複数の開口が貫通している側壁を含み、
前記拡張可能部材は、該開口のうちの１つ以上の中に少なくとも部分的に突出する、請求項１に記載のシステム。
【請求項１８】
前記拡張可能部材または前記ステントの第２の部分のうちの少なくとも１つが、該ステントの第２の部分の前記クリンプ前またはクリンプされているときに、加熱されるように構成されている、請求項１に記載のシステム。
【請求項１９】
前記拡張可能部材または前記ステントの第２の部分のうちの少なくとも１つは、摂氏約５０度から摂氏約６５度までの範囲の温度まで加熱される、請求項１８に記載のシステム。
【請求項２０】
前記スペーサは、保護シースを含む、請求項１に記載のシステム。
【請求項２１】
前記拡張可能部材が、前記ステントの第２の部分の前記クリンプ前またはクリンプされているときに、部分的に膨張させられるように構成されている、請求項１に記載のシステム。
【請求項２２】
前記細長いシャフトと接触するようにクリンプされるように構成された前記ステントの第２の部分の一部をさらに含む、請求項１に記載のシステム。
【請求項２３】
前記細長いシャフトは、前記ステントの配備後に、前記ステントの第２の部分に対して摺動可能に配置される、請求項２２に記載のシステム。
【請求項２４】
前記第２の部分の一部は、前記拡張可能部材の一部にクリンプされない、請求項１に記載のシステム。
【請求項２５】
前記ステントが治療薬によって被覆されている、請求項１に記載のシステム。
【請求項２６】
前記治療薬は、再狭窄を阻止する、請求項２５に記載のシステム。
【請求項２７】
前記ステントの前記第１の部分の全体が前記送達バルーンに埋め込まれる、請求項１に記載のシステム。
【手続補正２】
【補正対象書類名】明細書
【補正対象項目名】００１０
【補正方法】変更
【補正の内容】
【００１０】
本発明は、例えば、以下を提供する： 
（項目１）
送達カテーテルの拡張可能部材上にステントをクリンプする方法であって、該方法は、
第１の部分および第２の部分を有するステントを該拡張可能部材上に設置することであって、該ステントは、側孔が貫通している側壁を含む、ことと、
該ステントを該拡張可能部材に不均一にクリンプすることと
を含む、方法。
（項目２）
前記第１の部分は、前記拡張可能部材に均一にクリンプされ、前記第２の部分は、該拡張可能部材に不均一にクリンプされる、項目１に記載の方法。
（項目３）
前記ステントの前記第１の部分は、自身に沿って円周方向および長手方向に均一にクリンプされる、項目２に記載の方法。
（項目４）
前記ステントの前記第２の部分は、自身に沿って円周方向に不均一にクリンプされる、項目２に記載の方法。
（項目５）
前記ステントの第１の部分は、前記ステントの第２の部分よりも遠位に配置される、項目１に記載の方法。
（項目６）
前記第１の部分は、前記側孔よりも遠位に配置され、前記第２の部分は、該側孔よりも近位に配置される、項目５に記載の方法。
（項目７）
前記ステントの第１の部分は、収縮口を使用してクリンプされる、項目１に記載の方法。
（項目８）
前記ステントは、複数の開口が貫通している側壁を含み、
前記拡張可能部材は、該開口のうちの１つ以上の中に少なくとも部分的に突出する、項目１に記載の方法。
（項目９）
前記クリンプ前またはクリンプ中に、前記拡張可能部材を部分的に膨張させることをさらに含む、項目８に記載の方法。
（項目１０）
前記拡張可能部材は、前記クリンプ中に、約５０ｐｓｉから約１００ｐｓｉまでの範囲の圧力まで膨張させられる、項目９に記載の方法。
（項目１１）
前記クリンプ前またはクリンプ中に、前記拡張可能部材または前記ステントのうちの少なくとも１つを加熱することをさらに含む、項目８に記載の方法。
（項目１２）
前記少なくとも１つの拡張可能部材またはステントは、摂氏約５０度から摂氏約６５度までの範囲の温度まで加熱される、項目１１に記載の方法。
（項目１３）
真空圧を前記拡張可能部材に印加することと、
該真空圧が該拡張可能部材に印加されている間、漏出をチェックすることと
をさらに含む、項目１に記載の方法。
（項目１４）
前記拡張可能部材を少なくとも部分的に膨張させることと、
該拡張可能部材が少なくとも部分的に膨張させられている間、漏出をチェックすることと
をさらに含む、項目１に記載の方法。
（項目１５）
前記ステントの第２の部分が前記拡張可能部材に部分的にクリンプされるように、該ステントの第２の部分をクリンプすることをさらに含み、それにより、該第２の部分は、該拡張可能部材の一部の上で該拡張可能部材にクリンプされていない状態のままである、項目１に記載の方法。
（項目１６）
前記第２の部分を前記拡張可能部材に部分的にクリンプすることをさらに含み、それにより、その下における細長いシャフトの摺動可能な移動を可能にする、項目１に記載の方法。
（項目１７）
前記第１の部分および前記第２の部分は、細長いシャフトが前記側孔を摺動可能に通過することを依然として可能にしながら、クリンプされる、項目１に記載の方法。
（項目１８）
前記ステントの第２の部分は、収縮口を使用してクリンプされる、項目１５に記載の方法。
（項目１９）
前記ステントの第２の部分は、複数の開口が貫通している側壁を含み、
前記拡張可能部材は、該開口のうちの１つ以上の中に少なくとも部分的に突出する、項目１５に記載の方法。
（項目２０）
前記ステントの第２の部分の前記クリンプ前またはクリンプ中に、前記拡張可能部材または該ステントの第２の部分のうちの少なくとも１つを加熱することをさらに含む、項目１５に記載の方法。
（項目２１）
前記拡張可能部材または前記ステントの第２の部分のうちの少なくとも１つは、摂氏約５０度から摂氏約６５度までの範囲の温度まで加熱される、項目２０に記載の方法。
（項目２２）
前記第１の部分の外側に送られるように、細長いシャフトを前記ステントの前記第２の部分の下において前記側孔を通して送ることをさらに含む、項目１５に記載の方法。
（項目２３）
前記ステントの第２の部分をクリンプすることは、
前記細長いシャフトの一部と該ステントの第２の部分の一部との間にスペーサを設置することと、
該スペーサと接触するように該ステントの第２の部分の一部をクリンプすることと、
該スペーサを除去することであって、該細長いシャフトは、該ステントの配備前に、該ステントの第２の部分に対して摺動可能に配置される、ことと
を含む、項目２２に記載の方法。
（項目２４）
前記スペーサは、保護シースを含む、項目２３に記載の方法。
（項目２５）
前記ステントの第２の部分の前記クリンプ前またはクリンプ中に、前記拡張可能部材を部分的に膨張させることをさらに含む、項目２２に記載の方法。
（項目２６）
前記ステントの第２の部分をクリンプすることは、前記細長いシャフトと接触するように該ステントの第２の部分の一部をクリンプすることを含む、項目２２に記載の方法。
（項目２７）
前記細長いシャフトは、前記ステントの配備後に、前記ステントの第２の部分に対して摺動可能に配置される、項目２６に記載の方法。
（項目２８）
前記第２の部分の一部は、前記拡張可能部材の一部にクリンプされる、項目１に記載の方法。
（項目２９）
前記ステントを治療薬によって被覆することをさらに含む、項目１に記載の方法。
（項目３０）
前記治療薬は、再狭窄を阻止する、項目２９に記載の方法。
（項目３１）
分岐身体管腔を治療するためのデバイスであって、該デバイスは、
第１の送達カテーテルを含み、該第１の送達カテーテルは、近位端および遠位端を有する第１の細長いシャフトと、該第１の細長いシャフトの該遠位端に隣接する第１の拡張可能部材と、該第１の拡張可能部材上に配置される、第１の半径方向に拡張可能なステントとを含み、
該第１のステントは、側孔が貫通している側壁を含み、
該第１のステントは、折り畳み構成および拡張構成を有し、該折り畳み構成において、該第１のステントは、該第１の拡張可能部材と連結され、該拡張構成において、該第１のステントは、血管壁を支持し、
該第１のステントは、該第１の拡張可能部材に不均一にクリンプされる、デバイス。
（項目３２）
前記第１のステントは、第１の部分および第２の部分を含み、
該第１のステントの第２の部分は、前記第１の拡張可能部材に不均一にクリンプされる、項目３１に記載のデバイス。
（項目３３）
前記第１のステントの第１の部分は、前記第１のステントの第２の部分よりも遠位に配置される、項目３２に記載のデバイス。
（項目３４）
前記第１のステントの第１の部分は、複数の開口が貫通している側壁を含み、
前記拡張可能部材は、該開口のうちの１つ以上の中に少なくとも部分的に突出する、項目３２に記載のデバイス。
（項目３５）
前記側孔に接続されている環状通路は、前記第１のステントの第２の部分に沿って配向され、該第１のステントの第２の部分と前記第１の拡張可能部材との間に配置される、項目３２に記載のデバイス。
（項目３６）
前記第１のステントは、治療薬によって被覆される、項目３１に記載のデバイス。
（項目３７）
前記治療薬は、再狭窄を阻止する、項目３６に記載のデバイス。
（項目３８）
第２の送達カテーテルをさらに含み、該第２の送達カテーテルは、近位端および遠位端を有する第２の細長いシャフトと、該第２の細長いシャフトの該遠位端に隣接する第２の拡張可能部材と、該第２の拡張可能部材上に配置される、第２の半径方向に拡張可能なステントとを含み、
該第２のステントは、折り畳み構成および拡張構成を有し、該折り畳み構成において、該第２のステントは、該第２の拡張可能部材に均一にクリンプされ、該拡張構成において、該第２のステントは、血管壁を支持し、
該第２の送達カテーテルの一部分は、前記環状通路および前記第１のステントの前記側孔を通過する、項目３５に記載のデバイス。
（項目３９）
前記第１の拡張可能部材および前記第２の拡張可能部材は、相互から独立して拡張可能である、項目３８に記載のデバイス。
（項目４０）
前記第２の送達カテーテルは、前記第１のステントが前記折り畳み構成にあるときに、前記第１の送達カテーテルに対して軸方向に摺動可能である、項目３８に記載のデバイス。
（項目４１）
前記第１のステントの第２の部分は、前記第２の送達カテーテル上にクリンプされる、項目３８に記載のデバイス。
（項目４２）
前記第２の送達カテーテルは、前記第１のステントが前記拡張構成にあるときに、前記第１の送達カテーテルに対して軸方向に摺動可能である、項目４１に記載のデバイス。
（項目４３）
前記第２のステントは、治療薬によって被覆されている、項目３８に記載のデバイス。
（項目４４）
前記治療薬は、再狭窄を阻止する、項目４３に記載のデバイス。
（項目４５）
分岐を治療するための方法であって、該方法は、
第１の送達カテーテルを提供することであって、該第１の送達カテーテルは、第１のシャフト、第１の拡張可能部材、および該第１の拡張可能部材上にクリンプされる第１のステントを有する、ことと、
第２の送達カテーテルを提供することであって、該第２の送達カテーテルは、第２のシャフト、第２の拡張可能部材、および側孔を有する第２のステントを有し、該第２のステントは、該第２の拡張可能部材上に均一にクリンプされる第１の部分、および該第２の拡張可能部材上に部分的にクリンプされる第２の部分を有する、ことと、
該ステントの該部分的にクリンプされた第２の部分の下において、該側孔の外に該第１のシャフトを摺動可能に前進させることであって、それにより、該第１のシャフトが該ステントの該均一にクリンプされた該第１の部分上で摺動する、ことと
を含む、方法。
（項目４６）
前記第２の拡張可能部材を拡張することをさらに含み、該拡張することにより、身体管腔の中に前記第２のステントを配備する、項目４５に記載の方法。
（項目４７）
前記配備された第２のステントに対して前記第１のシャフトを摺動可能に後退させることをさらに含み、該後退させることにより、該第２のステントに隣接して前記第１のステントを配備するように前記第１の拡張可能部材を設置する、項目４６に記載の方法。
（項目４８）
前記第１の拡張可能部材を拡張することをさらに含み、該拡張することにより、前記第２のステントに隣接して身体管腔の中に前記第１のステントを配備する、項目４７に記載の方法。
（項目４９）
分岐を治療するための方法であって、該方法は、
第１の送達カテーテルを提供することであって、該第１の送達カテーテルは、第１のシャフト、第１の拡張可能部材、および該第１の拡張可能部材上に均一にクリンプされる第１のステントを有する、ことと、
第２の送達カテーテルを提供することであって、該第２の送達カテーテルは、第２のシャフト、第２の拡張可能部材、および側孔を有する第２のステントを有し、該第２のステントは、第１の部分および第２の部分を含み、該第１の部分は、該第２の拡張可能部材上に均一にクリンプされ、該第２の部分は、該第２の拡張可能部材および該第１のシャフトを含む組み合わせの上にクリンプされる、ことと、
該第２の拡張可能部材を少なくとも部分的に拡張することであって、それにより、該第２のステントの第２の部分を少なくとも部分的に拡張する、ことと、
該第２のステントの該第２の部分の下において該側孔を通して該第１のシャフトを摺動可能に前進させることまたは後退させることのうちの少なくとも１つであって、それにより、該第１のシャフトが該第２のステントの第１の部分上で摺動する、ことと
を含む、方法。
（項目５０）
前記第２の拡張可能部材を拡張することをさらに含み、該拡張することにより、身体管腔の中に前記第２のステントを配備する、項目４９に記載の方法。
（項目５１）
前記配備された第２のステントに対して前記第１のシャフトを摺動可能に後退させることをさらに含み、該後退させることにより、該第２のステントに隣接して前記第１のステントを配備するように前記第１の拡張可能部材を設置する、項目５０に記載の方法。
（項目５２）
前記第１の拡張可能部材を拡張することをさらに含み、該拡張することにより、前記第２のステントに隣接して身体管腔の中に前記第１のステントを配備する、項目５１に記載の方法。
本発明は、分岐血管の中でステントを送達するために使用される、使用方法、製造方法、および送達システムに関する。実施形態は、母血管の一部分および娘血管の一部分にステント留置するように構成されてもよい。